(57)【要約】【課題】耐候性、防水・防塵性に優れ、日射による温度上昇を抑えことができ、組立て性にも優れた電源装置用キャビネットを提供する。【解決手段】屋外に設置可能な電源装置のキャビネット１であって、底面板１１と、底面板１１に対面する天面板１２と、底面板及び天面板の後端部に連結された裏面板１３と、底面板、天面板及び裏面板の一方の第１の連結端面１８に連結された第１の側面板１４と、底面板、天面板及び裏面板の他方の第２の連結端面１９に連結された第２の側面板１５と、裏面板に対面し、底面板の前端部１１ｐ、天面板の前端部１２ｐ、第１の側面板の前端部１４ｐ及び第２の側面板の前端部１５ｐに連結された正面板１６と、を有する電気部品の収容空間Ｓを備え、天面板とは空間を空けて該天面板を覆う第２の天面板２０が設けられた電源装置用キャビネット及びその製造方法。【選択図】図１
2020088042.tif 000002
【特許請求の範囲】
【請求項１】
屋外に設置可能な電源装置用キャビネットであって、
前端部を有する底面板と、
前記底面板に対面し前端部を有する天面板と、
前記底面板及び前記天面板の後端部に繋げられた裏面板と、
前記底面板、前記天面板及び前記裏面板の一方の第１の連結端面に連結され前端部を有する第１の側面板と、
前記底面板、前記天面板及び前記裏面板の他方の第２の連結端面に連結され前端部を有する第２の側面板と、
前記各前端部に接するように取り付けられた正面板と、
により形成される電気部品の収容空間を備え、
前記天面板とは空間を空けて該天面板を覆う第２の天面板が設けられた電源装置用キャビネット。
【請求項２】
請求項１に記載の電源装置用キャビネットにおいて、
前記第２の天面板は、前記天面板に沿って上方側を覆う上面壁と該上面壁の前端部から前記天面板の前端部近くまで延びる前面壁とを有する横断面略Ｌ字形状に構成された電源装置用キャビネット。
【請求項３】
請求項１又は２に記載の電源装置用キャビネットにおいて、
前記第１の側面板及び前記第２の側面板が、前記天面板よりも上方に延出された延出部を備え、
前記第２の天面板が前記延出部に取付けられた電源装置用キャビネット。
【請求項４】
請求項３に記載の電源装置用キャビネットにおいて、
前記延出部には、開口部が形成された電源装置用キャビネット。
【請求項５】
請求項１〜４の何れか一項に記載の電源装置用キャビネットにおいて、
前記第１の側面板と、前記第１の連結端面との間に挿入された第１のシール材と、
前記第２の側面板と、前記第２の連結端面との間に挿入された第２のシール材と、を備え、
前記第１のシール材及び前記第２のシール材が耐熱性両面粘着テープである電源装置用キャビネット。
【請求項６】
請求項５に記載の電源装置用キャビネットにおいて、
前記底面版、前記天面板及び前記裏面板の三面が一枚の板材にて形成された電源装置用キャビネット。
【請求項７】
請求項５または６に記載の電源装置用キャビネットにおいて、
前記第１の側面板と前記第１の連結端面が連結された第１の連結部及び前記第２の側面板と前記第２の連結端面が連結された第２の連結部は、前記第１のシール材及び前記第２のシール材を厚み方向に圧縮する締結部材により締付け固定された電源装置用キャビネット。
【請求項８】
請求項１〜７の何れか一項に記載の電源装置用キャビネットにおいて、
前記底面板、前記天面板、前記裏面板、前記第１の側面板及び前記第２の側面板は、連結後に塗装された電源装置用キャビネット。
【請求項９】
屋外に設置可能な電源装置用キャビネットの製造方法であって、
底面板、天面板、裏面板、第１の側面板及び第２の側面板を組立てるときに、
前記底面板、前記天面板、前記裏面板、前記第１の側面板及び前記第２の側面板の一部を重ね合せて連結する連結部に耐熱性両面粘着テープを挟み込む工程と、
その後、前記連結部を重ね合せ方向に締結部材にて締付け締結する工程と、
その後に、焼付け塗装を行う工程と、
を含む電源装置用キャビネットの製造方法。
【発明の詳細な説明】
【技術分野】
【０００１】
本発明は、電気機器を収容する電源装置用キャビネット及びその製造方法に関し、特に、屋外に設置される電源装置用キャビネット及びその製造方法に関する。
【背景技術】
【０００２】
従来、例えば、配電盤、分電盤、制御盤等の電源装置が屋外に設置されることがある。この場合、電源装置を、雨水、塵埃並びに太陽光などから保護する必要がある。例えば特許文献１には、屋外に設置された空気調和機の室外機に、大型の電源トランスを取付ける構造が開示されている。
この場合、電装品箱と大型の電源トランスを室外機に取付けた後に雨水の影響を受けないようにするために、電源トランスを覆うようにベース板に取り付けられるカバーの上面板と各側面板との突き合わせ端面の間に形成される上向きの継ぎ目を、第１および第２フラップによって覆い隠して、この継ぎ目の部分からカバーの内部に雨水が入り込むことを防止する構造となっている。
【０００３】
特許文献２には、前面が開口する箱形の本体と、その本体に取り付けられる開口を開閉する扉とを備えた屋外用キャビネットが開示されている。この場合、背板の左右両側に左右側板を一体に形成した胴枠と、その胴枠の上下に固定される天板及び底板とを有し、天板及び底板は、その周縁から立ち上がる折り曲げ片を有し、天板の内面周縁に弾性を有するシール材が固定されている。そして、この天板は、シール材に胴枠が接する状態で、胴枠の上部に被せられ、底板が胴枠の下部内に嵌め合わされ、天板及び底板の折り曲げ片が胴枠に対して、リベットにより固定された構造となっている。
【先行技術文献】
【特許文献】
【０００４】
【特許文献１】特開２０１６−６５７０５号公報
【特許文献２】特開２０１６−１５２２５０号公報
【発明の概要】
【発明が解決しようとする課題】
【０００５】
特許文献１に開示された空気調和機の室外機では、ベース板とカバーの開口部分の突き合わせ端面を構成する継ぎ目にシール材を貼り付け、このシール材を挟み込むように継ぎ目に圧着する。この構造によってこの継ぎ目の部分からカバーの内部に雨水が入り込むことを防止する構造となっている。
【０００６】
しかし、ここに示されたカバーの構造の場合、直接屋外に設置されるものではないことから、防水性や防塵性、更には耐候性など高い性能は要求されるものではなく、ごく普通のシール性、例えばＩＰ規格による防水・防塵性としてはＩＰ４３程度のものである。したがって、このカバーの構造は、直接屋外に設置される電源装置用キャビネットの防水性や防塵性、耐候性の構造としては不十分であり、特に、ＩＣ等の精密部品を備えたプリント基板や電子機器を安全に保護する防水・防塵性能（ＩＰ規格でＩＰ５５以上の性能）には問題がある。
【０００７】
特許文献２に開示された屋外用キャビネットにおいては、高いシール性を維持するためには、天板を、シール材の弾力に抗して左右側板及び背板の上端縁部に強く圧接させた状態でリベット止をしなければならない。すなわち、シール材を圧縮した状態でリベット穴にリベットを挿入して締結作業を行わなければならず、組立作業に技術を必要とし、組立て作業性が悪い。また、シール性を確保するためにはシール材の厚みや弾力性を考慮してリベット穴の形成位置を設定しなければならず、組立てる板材の加工にも高い成形精度が要求される等の課題があった。
【０００８】
また、屋外に設置される電源装置用キャビネットにおいては、キャビネット自体が風雨に晒されると共に太陽光にも直接晒される。このため、特にＩＣ等の精密部品を備えたプリント基板や電子機器を設置する場合は、日射による温度上昇は大きな問題となり、日射による熱対策が大きな課題となっている。
【０００９】
本発明は、前述した事情に鑑みてなされたものであり、その目的は、耐候性、防水・防塵性に優れ、日射による温度上昇を抑えことができ、更に、組立て性にも優れた電源装置用キャビネットを提供することにある。
【課題を解決するための手段】
【００１０】
上記課題は下記手段により達成することができる。すなわち、本発明は下記の通りである。
〔１〕
屋外に設置可能な電源装置用キャビネットであって、
前端部を有する底面板と、
前記底面板に対面し前端部を有する天面板と、
前記底面板及び前記天面板の後端部に繋げられた裏面板と、
前記底面板、前記天面板及び前記裏面板の一方の第１の連結端面に連結され前端部を有する第１の側面板と、
前記底面板、前記天面板及び前記裏面板の他方の第２の連結端面に連結され前端部を有する第２の側面板と、
前記各前端部に接するように取り付けられた正面板と、
により形成される電気部品の収容空間を備え、
前記天面板とは空間を空けて該天面板を覆う第２の天面板が設けられた電源装置用キャビネット。
【００１１】
〔２〕
〔１〕に記載の電源装置用キャビネットにおいて、
前記第２の天面板は、前記天面板に沿って上方側を覆う上面壁と該上面壁の前端部から前記天面板の前端部近くまで延びる前面壁とを有する横断面略Ｌ字形状に構成された電源装置用キャビネット。
【００１２】
〔３〕
〔１〕又は〔２〕に記載の電源装置用キャビネットにおいて、
前記第１の側面板及び前記第２の側面板が、前記天面板よりも上方に延出された延出部を備え、  前記第２の天面板が前記延出部に取付けられた電源装置用キャビネット。
【００１３】
〔４〕
〔３〕に記載の電源装置用キャビネットにおいて、
前記延出部には、開口部が形成された電源装置用キャビネット。
【００１４】
〔５〕
〔１〕〜〔４〕の何れか一項に記載の電源装置用キャビネットにおいて、
前記第１の側面板と、前記第１の連結端面との間に挿入された第１のシール材と、前記第２の側面板と、前記第２の連結端面との間に挿入された第２のシール材と、を備え、前記第１のシール材及び前記第２のシール材が耐熱性両面粘着テープである電源装置用キャビネット。
【００１５】
〔６〕
〔５〕に記載の電源装置用キャビネットにおいて、
前記底面版、前記天面板及び前記裏面板の三面が一枚の板材にて形成された電源装置用キャビネット。
【００１６】
〔７〕
〔５〕または〔６〕に記載の電源装置用キャビネットにおいて、
前記第１の側面板と前記第１の連結端面が連結された第１の連結部及び前記第２の側面板と前記第２の連結端面が連結された第２の連結部は、前記第１のシール材及び前記第２のシール材を厚み方向に圧縮する締結部材により締付け固定された電源装置用キャビネット。
【００１７】
〔８〕
〔１〕〜〔７〕の何れか一項に記載の電源装置用キャビネットにおいて、
前記底面板、前記天面板、前記裏面板、前記第１の側面板及び前記第２の側面板は、連結後に塗装された電源装置用キャビネット。
【００１８】
〔９〕
屋外に設置可能な電源装置用キャビネットの製造方法であって、
底面板、天面板、裏面板、第１の側面板及び第２の側面板を組立てるときに、前記底面板、前記天面板、前記裏面板、前記第１の側面板及び前記第２の側面板の一部を重ね合せて連結する連結部に耐熱性両面粘着テープを挟み込む工程と、その後、前記連結部を重ね合せ方向に締結部材３０にて締付け締結する工程と、その後に、焼付け塗装を行う工程と、を含む電源装置用キャビネットの製造方法。
【発明の効果】
【００１９】
〔１〕の電源装置用キャビネットによれば、電気部品の収容空間を形成する天面板を覆う第２の天面板が設けられたので、屋外設置状態において、第２の天面板により太陽光を遮ることができ、且つ天面板と第２の天面板に空間が設けられるので、第２の天面板からの熱を空間にため込むバッファー機能を有し、又、該空間における放熱も期待できることから、第２の天面板から収容空間側への熱伝達を抑えることができ、日射によるキャビネット内部温度の上昇が抑えられた電源装置用キャビネットを提供できる。
【００２０】
〔２〕の電源装置用キャビネットによれば、第２の天面板は、天面板に沿って上方側を覆う上面壁と該上面壁の前端部から天面板の前端部近くまで延びる前面壁とを有する横断面略Ｌ字形状に構成されたので、天面板と第２の天面板との空間が大きく形成されても、天面板への日射を確実に防止することができる。また、前面壁とは反対側の後方側を開放することができることから、第２の天面板の内側の通風性が良く放熱性に優れ、日射による温度上昇を効果的に抑えることのできる電源装置用キャビネットを提供できる。
【００２１】
〔３〕の電源装置用キャビネットによれば、第１の側面板及び第２の側面板の上方に延出された延出部に第２の天面板が取付けられた構造であるので、第２の天面板を取付けるための部材を特別に設ける必要が無く部品点数を少なくでき、また、延出部の延出長さで天面板と第２の天面板との距離を自由に設定することができる電源装置用キャビネットを提供できる。
【００２２】
〔４〕の電源装置用キャビネットによれば、延出部に開口部が形成されたので、第２の天面板の内側の通風性を良くすることができる。また、開口部が形成されたことで延出部自体の熱伝導を低くでき、第２の天面板の日射による熱を電気部品の収容空間側に伝え難くすることができる。
【００２３】
〔５〕の電源装置用キャビネットによれば、第１及び第２の連結端面に設けられた第１及び第２のシール材が耐熱性両面粘着テープであることで、両シール材を設け組立てた後に熱処理加工を施してもシール性を維持することができるので、キャビネット組立て後に焼付け塗装が可能な電源装置用キャビネットを提供することができる。
【００２４】
〔６〕の電源装置用キャビネットによれば、底面、天面板及び裏面板の三面が一枚の板材にて形成されたので、この一枚の板材の左右両側の第１及び第２の連結端面に第１の側面板及び第２の側面板を固定するだけで収容空間が容易に形成できる。また、第１及び第２の連結端面に対して第１及び第２のシール材の粘着力で第１及び第２の側面板を貼り付けて位置決めすることができ、リベット止め前の仮固定が容易でキャビネット組立て性を向上することができる。
【００２５】
〔７〕の電源装置用キャビネットによれば、第１の連結部及び第２の連結部は、第１のシール材及び第２のシール材を厚み方向に圧縮する締結部材により締付け固定されたので、両連結部の機密性を向上することができる。したがって、防水性及び防塵性に優れた電源装置用キャビネットを提供できる。また、連結部の機密性を確保するために溶接を用いていないことから溶接時の熱変形の心配が無いので、板材を薄くすることができる。この結果、キャビネット重量の軽量化が実現できると共に材料費の低減によるコストダウンを図ることができる。
【００２６】
〔８〕の電源装置用キャビネットによれば、底面板、天面板、裏面板、第１の側面板及び第２の側面板は、連結後に塗装された構造であるので、各面板同士が塗装膜にて絶縁されることなく通電ができ、各面板の電位差のない電源装置用キャビネットを提供できる。
【００２７】
〔９〕の電源装置用キャビネットの製造法によれば、底面板、天面板、裏面板、第１の側面板及び第２の側面板の何れかの一部を重ね合せて連結する連結部に耐熱性両面粘着テープを用いたことで、粘着性により連結部の部材位置決めが容易となり、また、耐熱性により連結部の密着性を維持したまま焼付け塗装が可能となる。更に、各面板を締結・組立てた後に塗装するので、各面板の通電ができ各面板の電位差を無くすことができる。また、塗装が各面板の締結・組立て後の一回ですむので組立て性を向上できる。更に、塗装が焼付け塗装であることから塗装膜を厚くすることができ、耐候性が向上し以て耐水性・耐塵性を長期にわたって維持することに寄与でき、締結する部位の機密性に優れた電源装置用キャビネットを提供できる。
【図面の簡単な説明】
【００２８】
【図１】本発明の一実施形態である電源装置用キャビネットの分解斜視図である。
【図２】図１に示す電源装置用キャビネットの組立て状態における正面側から見た斜視図である。
【図３】図１に示す電源装置用キャビネットの組立て状態における背面側から見た斜視図である。
【図４】図１に示す電源装置用キャビネットにおける連結端面を示す側面図である。
【図５】図２のＣ領域の拡大側面図である。
【図６】図５に示すＥ−Ｅ線に沿った部分の断面図である。
【図７】本発明の電源装置用キャビネットの製造方法における組立途中の分解斜視図である。
【図８】図７に示す組立部材の組立て状態を示す斜視図である。
【図９】本発明の変形例の電源装置用キャビネットの組立て途中の分解斜視図である。
【発明を実施するための形態】
【００２９】
以下、本発明の一実施形態について、図１〜図９を参照して説明する。なお、図１〜図３においては、図中に上下、前後、左右を示す。また、明細書の記載において、上下とは、電源装置用キャビネットを設置した状態での上下を云い、前後とは、正面板側を前、その反対の裏面板側を後とし、左右とは、正面板側から見たときの左右を云う。
【００３０】
本実施形態の電源装置用キャビネット１は、図１、図２及び図３に示すように、設置状態において下側の底面板１１と、この底面板１１に対面し上側を覆う天面板１２と、底面板１１及び天面板１２の後端部１７，１７（裏面板１３の上下端部でもある）に繋がった裏面板１３と、底面板１１、天面板１２及び裏面板１３の左右の一方（図１において左側）の第１の連結端面１８に連結された第１の側面板１４と、底面板１１、天面板１２及び裏面板１３の他方（図１において右側）の第２の連結端面１９に連結された第２の側面板１５と、更に、裏面板１３に対面する正面板１６と、からなる収容空間Ｓ１を形成する箱型構造物である。
【００３１】
なお、正面板１６は、底面板１１の前端部１１ｐ、天面板１２の前端部１２ｐ、第１の側面板１４の前端部１４ｐ及び第２の側面板１５の前端部１５ｐに接するように取り付けられる。また、正面板１６の取り付けは、キャビネット本体１０側の四隅に設けられた固定用ステイ３５にねじ込むネジ３３により取り外し可能に構成されている。
【００３２】
なお、本明細書において、「連結」とは、電源装置用キャビネット１を構成する各面板を重ね合せて締結することを云う。
【００３３】
キャビネット内部の収容空間Ｓ１には、例えば、裏面板１３に取付けられる電気部品載置部２８にＩＣ等を搭載したプリント基板などが設置される。また、天面板１２の上側には、この天面板１２とは空間Ｓ２（図３参照）を空けて該天面板１２を覆う第２の天面板２０が設けられている。
【００３４】
ここで、本実施形態における底面板１１、天面板１２及び裏面板１３は、一枚板を２箇所で直角に折曲げてコ字状に構成されている。このように、底面板１１、天面板１２及び裏面板１３の三面は、上下に連続した一枚の板材で形成され雨水の侵入防止構造として好ましい構造となっている。また、底面板１１の左右両側の折曲げ端面１８ｕ，１９ｕ、天面板１２の左右両側の折曲げ端面１８ｔ，１９ｔ及び裏面板１３の左右両側の折曲げ端面１８ｂ，１９ｂは、所定の幅を有して直角に折曲げられ、側面視でコ字状に連続した平坦面で第１及び第２の連結端面１８，１９として構成されている（図４参照）。左側の第１の連結端面１８には、第１の側面板１４が連結され、右側の第２の連結端面１９には、第２の側面板１５が連結される。
また、第１の連結端面１８、第２の連結端面１９及び第１の側面板１４、第２の側面板１５には、所定の間隔で締結部材である例えばリベット３０にて締結できるようにリベット穴ｒｈが所定の間隔で設けられている。
【００３５】
また、第１の側面板１４及び第２の側面板１５の前端部には、左右外側に向って直角に折曲げられた左側の前端部１４ｐ及び右側の前端部１５ｐが形成されている。更に、底面板１１の前端部には、下方に直角に折曲げられた前端部１１ｐが形成され、天面板１２の前端部には、上方に直角に折曲げられた前端部１２ｐが形成されている。この上下の前端部１１ｐ，１２ｐ及び左右の前端部１４ｐ，１５ｐは、同一平面上に位置され、収容空間Ｓ１の前方開口の水切り部として機能する。
【００３６】
第１の側面板１４及び第２の側面板１５は、組立てられたときに天面板１２よりも上方に延出する延出部１４ｅ，１５ｅを備えている。そして、この延出部１４ｅ，１５ｅに第２の天面板２０が取付けられている。この第２の天面板２０の取付構造は、延出部１４ｅ，１５ｅの上端が内側方向に略直角に折曲げられた左右の取付け面１４ｔ，１５ｔに、例えばリベット３０を介して固定される。
【００３７】
また、第１の側面板１４及び第２の側面板１５は、後方側の部分がキャビネット内側及び前方側に向って屈曲した取付け補強部１４ｂ，１５ｂが形成されている。この取付け補強部１４ｂ，１５ｂは、第１の側面板１４及び第２の側面板１５の強度を強くしている。したがって、取付け補強部１４ｂ，１５ｂに上下一対の取付けフレーム４０が、ボルト４８によって固定されている（図３参照）。
【００３８】
第２の天面板２０は、天面板１２に沿ってその全面を覆う大きさの上面壁２０ｔと、この上面壁２０ｔの前端部から天面板１２の前端部に近接した位置（図２参照）まで略直角に延びる前面壁２０ｆとを有する横断面略Ｌ字形状に構成されている。したがって、天面板１２と第２の天面板２０との距離が大きく離れた空間Ｓ２が形成された場合でも、前面壁２０ｆで空間Ｓ２の前面側を確実に覆うことができる。一方、前面壁２０ｆとは反対の後面側は、通気性を考慮して適宜開放されている（図３参照）。
【００３９】
また、第１の側面板１４の延出部１４ｅ及び第２の側面板１５の延出部１５ｅには、例えば横長のスリット状の開口部１４ｈ及び開口部１５ｈが多数形成されており、空間Ｓ２の通気性を高めている。
【００４０】
図１において左側の第１の側面板１４と第１の連結端面１８が連結される第１の連結部Ｊ１には、第１のシール材２１が配置される。また、図１において右側の第２の側面板１５と第２の連結端面１９が連結される第２の連結部Ｊ２には、第２のシール材２２が配置される。この第１シール材２１及び第２のシール材２２は、両第１及び第２の連結端面１８，１９に対応したコ字状の耐熱性両面粘着テープにて構成されている。また、第１及び第２のシール材２１，２２には、所定間隔でリベット穴ｒｈが形成されている。第１及び第２の連結部Ｊ１，Ｊ２は、第１及び第２のシール材２１，２２を面板間に挟み込んで、リベット３０にて面板の厚み方向に圧縮して強固に締付け固定されている。
【００４１】
また、裏面板１３の外側（背面側）には、放熱板３８が取付けられている。すなわち、裏面板１３の内側に設けられたＩＣ等を搭載した電気部品載置部２８に対応する位置に、熱を外部に効果的に放出できる放熱板３８が設けられる。ここでは、放熱板３８は、上下一対の取付けフレーム４０の間に配置されている（図３参照）。
【００４２】
ここで、底面板１１、天面板１２、裏面板１３、第１の側面板１４及び第２の側面板１５は、各面板が塗装されていない状態で第１の連結部Ｊ１及び第２の連結部Ｊ２がリベット３０にて連結され、その外面が塗装膜５０（図６参照）で覆われている。
【００４３】
前述の如く三つの折曲げ端面１９ｔ，１９ｂ，１９ｕで構成された第２の連結端面１９について、その折曲げ構造を、図４を参照して説明する。なお、第１の連結端面１８については、第２の連結端面１９と同じ構成であるので説明を省略する。
【００４４】
図４に示すように、第２の連結端面１９は、裏面板１３の上端部（図中Ａにて示す部分）と下端部（図中Ｂにて示す部分）とでは、折曲げ端面の縁部の合わせ方が異なっている。本実施形態の場合、裏面板１３の上端部においては、図中Ａの部分を拡大して示すように、天面板１２の折曲げ端面１９ｔの下端縁１９ｔｕと裏面板１３の折曲げ端面１９ｂの上端縁１９ｂｔとが接する切れ目が形成されている。また、裏面板１３の下端部においては、図中Ｂの部分を拡大して示すように、底面板１１の折曲げ端面１９ｕの後端縁１９ｕｂと裏面板１３の折曲げ端面１９ｂの前縁端１９ｂｆとが接する切れ目が構成されている。すなわち、雨水の侵入防止対策構造として、裏面板１３の上端部では天面板１２の面と同じ高さに切れ目が位置しないように構成され、下端部では裏面板１３と同じ面に切れ目が位置しないように構成されている。
【００４５】
第１の連結部Ｊ１及び第２の連結部Ｊ２の連結・固定構造について、図５及び図６を参照して説明する。なお、図５及び図６を参照した説明は第２の連結部Ｊ２の説明であるが、第１の連結部Ｊ１については同じ構成であるので説明を省略する。
【００４６】
図５に示すように、第２の連結端面１９に配置される第２のシール材２２は、該連結端面１９の連結幅ｄ１と略同等の幅（図６参照）に構成されている。また、リベット穴ｒｈは、シール材２２のシール機能が十分に発揮できるように連結幅ｄ１に対して充分に小さく形成されている。すなわち、リベット穴ｒｈの両側（連結幅ｄ１の方向の両側）における第２のシール材２２のシール幅ｄ２は、シール性を確保するのに充分な幅になるように、例えば、リベット３０の頭部３０ａの抑え幅ｄ３よりも大きく設定されている。
【００４７】
図６に示すように、第２の連結部Ｊ２の連結は、第２の側面板１５と第２の連結端面１９の折曲げ端面１９ｂは、第２のシール材２２を挟んだ状態で重ね合せ方向にリベット３０の頭部３０ａ及び先端部３０ｂによって強く押さえ付けられ固定されている。更に、第２の連結部Ｊ２は、重ね合わせの境界部分ｊｐやリベット３０の頭部３０ａ及び先端部３０ｂを含めて塗装膜５０に覆われている。
【００４８】
以下、本発明の電源装置用キャビネット１の製造方法について、図７及び図８を参照して説明する。
電源装置用キャビネット１を組立てる一つの工程として、図７に示すように、例えば、塗装されていない一枚板を曲げて底面板１１、天面板１２及び裏面板１３を形成し、同じく塗装されてない第１の側面板１４及び第２の側面板１５によって挟み込むように組み立てる。このとき、第１の連結端面１８と第２の連結端面１９には、予め耐熱性両面粘着テープの第１及び第２のシール材２１，２２を貼り付けておく。そして、この第１のシール材２１を第１の側面板１４で挟み込み、第２のシール材２２を第２の側面板１５で挟み込むように貼り付ける。この両シール材２１，２２を挟み込む工程によって、第１及び第２の連結部Ｊ１，Ｊ２は、位置決め仮固定される。
【００４９】
この仮固定された状態で、リベット３０をリベット穴ｒｈに順次取付けリベット止めを行う。すなわち、リベット３０によって、第１及び第２の連結部Ｊ１，Ｊ２を重ね合せ方向に締付ける工程によって、強固に連結され、図８に示すような収容空間Ｓ１を形成するキャビネット本体１０の主要部分が組立てられる。なお、このキャビネット本体１０は、底面板１１、天面板１２、裏面板１３、第１の側面板１４及び第２の側面板１５がリベット３０を介して通電可能な状態になっている。
【００５０】
次に、図８に示すように組立てられたキャビネット本体１０に対して粉体焼付け塗装の工程を行う。
この場合、粉体焼付け塗装は、例えば、スプレーガン等（不図示）を用いて所定の塗装粉体を帯電させた状態で、図８に示すキャビネット本体１０にアースを取った状態で静電気を使って全面に付着させる。その後、焼付け乾燥炉で加熱（例えば、１４０度Ｃ〜２００度Ｃ）することにより、キャビネット本体１０に焼付け塗膜を形成する。
【００５１】
このようにして焼付け塗装が行われると、キャビネット本体１０の全体が塗膜５０にて覆われる。したがって、第１及び第２の連結部Ｊ１，Ｊ２においては、図６に示したように、重ね合わせの境界部分ｊｐやリベット３０の頭部３０ａ側（外側）も先端部３０ｂ側（内側）も塗膜５０によって完全に覆われる。
このように焼付け塗装がなされたキャビネット本体１０に対して、別途塗装された第２の天面板２０並びに正面板１６を取り付けて電源装置用キャビネット１の組立が完了する。
【００５２】
本実施形態における電源装置用キャビネット１の製造方法では、第２の天面板２０を連結する前にキャビネット本体１０を焼付け塗装したが、第２の天面板２０を連結した後で焼付けを行う工程を実施しても良い。この場合、第２の天面板２０は、その連結部のリベット３０を含めて焼付け塗装が施される。
【００５３】
このように、本実施形態においては、電気部品の収容空間Ｓ１を形成する天面板１２を覆う第２の天面板２０が設けられたので、屋外設置状態において、第２の天面板２０により太陽光を遮ることができる。また、天面板１２と第２の天面板２０に空間Ｓ２が設けられるので、第２の天面板２０からの熱を空間Ｓ２にため込むバッファー機能を有し、又、該空間Ｓ２において放熱ができ、第２の天面板２０から収容空間Ｓ１側への熱伝達を抑えることができ、太陽光によるキャビネット内部温度の上昇を抑えることができる。
【００５４】
また、本実施形態においては、第１の側面板１４及び第２の側面板１５の上方に延出された延出部１４ｅ，１５ｅに第２の天面板２０が取付けられた構造であるので、第２の天面板２０を取付けるための部材を特別に設ける必要がない。また、延出部１４ｅ，１５ｅの延出長さで天面板１２と第２の天面板２０との距離を自由に設定することができる。
【００５５】
また、本実施形態においては、第２の天面板２０は、天面板１２に沿って上方側を覆う上面壁２０ｔと該上面壁２０ｔの前端部から天面板１２の前端部近くまで延びる前面壁２０ｆとを有する横断面略Ｌ字形状に構成されたので、天面板１２と第２の天面板２０との空間が大きく形成された場合でも、天面板１２への日射を確実に防止することができる。また、前面壁２０ｆとは反対側の後方側を開放することができ、第２の天面板２０の内側の通風性を良好にでき放熱性に優れ、日射による温度上昇を効果的に抑えることができる。
【００５６】
また、本実施形態においては、延出部１４ｅ，１５ｅには、開口部１４ｈ，１５ｈが形成されたので、第２の天面板２０の内側の通風性を良くすることができる。また、開口部１４ｈ，１５ｈが形成されたことで延出部１４ｅ，１５ｅ自体の熱伝導を低くでき、第２の天面板２０の日射による熱を電気部品の収容空間Ｓ１側に伝え難くすることができる。
【００５７】
また、本実施形態においては、第１及び第２の連結端面１８，１９に設けられた第１及び第２のシール材２１，２２が耐熱性であることで、両シール材２１，２２を設け組立てた後に熱処理加工を施してもシール性を維持することができる。したがって、キャビネット組立て後に焼付け塗装を施すことができる。
【００５８】
また、本実施形態においては、底面版１１、天面板１２及び裏面板１３の三面が一枚の板材にて形成されたので、この一枚の板材の左右両側の第１及び第２の連結端面１８，１９に第１の側面板１４及び第２の側面板１５を固定するだけで収容空間Ｓ１が容易に形成できる。また、第１及び第２の連結端面１８，１９に対して第１及び第２のシール材２１，２２の粘着力で第１及び第２の側面板１４，１５を貼り付けて位置決めすることができ、リベット止め前の仮固定が容易でキャビネット組立て性を向上することができる。
【００５９】
また、本実施形態においては、第１の連結部Ｊ１及び第２の連結部Ｊ２は、第１及び第２のシール材２１，２２を厚み方向に圧縮するリベット３０により締付け固定されたので、両連結部Ｊ１，Ｊ２の機密性が向上され、防水性及び防塵性に優れている。また、両連結部Ｊ１，Ｊ２の機密性を確保するために溶接を用いていないことから溶接時の熱変形の心配が無いので、板材を薄くすることができる。この結果、キャビネット重量の軽量化が実現できると共に材料費の低減によるコストダウンを図ることができる。
【００６０】
このように本実施形態においては、底面板１１、天面板１２、裏面板１３、第１の側面板１４及び第２の側面板１５は、連結後に塗装された構造であるので、各面板同士が塗装膜５０にて絶縁されることなく通電ができ、各面板の電位差が生じない。また、キャビネット組立て最終段においてのみ塗装することで、各面板の塗装は組立て以前に行う必要が無く一回ですみ、組立て性を向上できる。
【００６１】
また、本発明の製造法においては、底面板１１、天面板１２、裏面板１３、第１の側面板１４及び第２の側面板１５の一部を重ね合せて締結する連結部（第１及び第２の連結部Ｊ１，Ｊ２）に耐熱性両面粘着テープを用いたことで、粘着性により連結部の部材位置決めが容易となり、また、耐熱性により連結部の密着性を維持したまま焼付け塗装が可能となる。
また、第２の天面板２０を連結した後で焼付けを行う工程を実施した場合には、第２の天面板２０の連結部のリベット３０を含めて焼付け塗装でき、第２の天面板２０の機能を長期にわたって良好に維持することができる。したがって、収容空間Ｓ１の防水・防塵性の長期維持に寄与することができる。
更に、各面板を締結・組立てた後に塗装するので、各面板の通電ができ各面板の電位差を無くすことができる。また、塗装が各面板の締結・組立て後の一回ですむので組立て性を向上できる。更に、塗装が焼付け塗装であることから塗装膜５０を厚くすることができ、強度、耐薬品性、耐食性、耐候性が向上し、以て耐水性・耐塵性を長期にわたって維持し機密性を長期にわたって保証できる電源装置用キャビネット１を提供できる。
【００６２】
以下、本発明の変形例の電源装置用キャビネット１について、図９を参照して説明する。
図９に示すように、本変形例の電源装置用キャビネット１は、縦長形状の第１及び第２の側面板１４，１５の間に三つの収容空間Ｓ３，Ｓ４，Ｓ５を形成する構成である。そして、第１及び第２の側面板１４，１５の上方部の延出部１４ｅ，１５ｅの上端には、最上部の天面板１２と適宜距離を開けた第２の天面板２０が取付けられている。なお、この第２の天面板２０は、平坦な一枚板にて構成されている。
【００６３】
また、本実施形態における各底面板１１、各天面板１２及び各裏面板１３は、図１に示す形状と同様に、一枚板を折曲げて三面が構成されている。また、各第１の連結部Ｊ１及び各第２の連結部Ｊ２には、耐熱性両面粘着テープの第１のシール材２１及び第２のシール材２２が設けられている。
なお、正面板１６は、各収容空間Ｓ３，Ｓ４，Ｓ５を閉じるように三つ設けられているが、三つの収容空間を同時に閉じることができる縦長の一つの正面板であっても良い。
【００６４】
本変形例のように、第１の側面板１４と第２の側面板１５との間に、底面板１１、天面板１２及び裏面板１３にて区画される複数の収容空間Ｓ３，Ｓ４，Ｓ５が設けられたことで、一対の両側面板１４，１５の間に複数組の板部材（底面板１１、天面板１２及び裏面板１３）を挟み込むように組立てるだけで複数の収容空間を容易に形成することができる。
【００６５】
以上、本発明の一実施形態について説明したが、本発明はこれに限るものではなく、形状や連結構造等適宜変更できる。例えば、上記実施形態においては、第２の天面板２０を左右の第１及び第２の側面板１４，１５にて支持するように構成したが、その他に例えば、裏面板１３や天面板１２から張り出した手段や他の固定部材にて第２の天面板２０を支持する構造でも良い。
【００６６】
また、上記実施形態においては、底面板１１、天面板１２及び裏面板１３を一枚の板で形成したが、一枚板の構成でなく適宜連結した構造であっても良い。
第２の天面板２０形状は、上記実施形態においては断面Ｌ字形状としたが、何らこの形状に制限されるものではない。
【００６７】
また、上記実施形態においては、キャビネット内の電気機器を支持する構造は、裏面板１３に設けるようにしたが、これに限らず、例えば、底面板１１，天面板１２、更には第１及び第２の側面板１４，１５に設けるようにしても良く、特に限定するものでない。
【００６８】
また、上記実施形態においては、天面板１２と第２の天面板２０との空間Ｓ２は、部品を設置しない空間として形成されたが、この空間Ｓ２に、例えば発熱性のある電気機器を設置するようにしても良い。この場合、収容空間Ｓ１とは天面板１２にて隔離された箇所に発熱性の機器を設けることで、耐熱性に課題のあるＩＣ保護に適したキャビネット構造とすることができる。
【００６９】
上記実施形態における正面板１６は、ネジにて取り外し可能な構造としたが、その他にヒンジ構造を備えた開閉自在の構造であっても良い。
また、上記実施形態においては、焼付け塗装として粉体の焼付け塗装を用いたが、本発明においてはこれに何ら制限されるものではなく、他の焼付け塗装を用いることができる。
また、上記実施形態においては、リベット３０にて締結する連結部が第１の連結部Ｊ１と第２の連結部Ｊ２の二箇所としたが、他の面板についてもネジやボルトによる締結構造を採用した連結部を備えていても良い。
【符号の説明】
【００７０】
１      電源装置用キャビネット
１１    底面板
１１ｐ，１２ｐ，１４ｐ，１５ｐ    前端部
１２    天面板
１４    第１の側面板
１４ｅ，１５ｅ    延出部
１４ｈ，１５ｈ    開口部
１５    第２の側面板
１６    正面板
１８    第１の連結端面
１９    第２の連結端面
２０    第２の天面板
２０ｆ  前面壁
２０ｔ  上面壁
２１    第１のシール材
２２    第２のシール材
３０    リベット（締結部材）
Ｊ１    第１の連結部
Ｊ２    第２の連結部
Ｓ      収容空間
【図１】
2020088042.tif 000003
【図２】
2020088042.tif 000004
【図３】
2020088042.tif 000005
【図４】
2020088042.tif 000006
【図５】
2020088042.tif 000007
【図６】
2020088042.tif 000008
【図７】
2020088042.tif 000009
【図８】
2020088042.tif 000010
【図９】
2020088042.tif 000011
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
屋外に設置可能な電源装置用キャビネットであって、
前端部を有する底面板と、
前記底面板に対面し前端部を有する天面板と、
前記底面板及び前記天面板の後端部に繋げられた裏面板と、
前記底面板、前記天面板及び前記裏面板の一方の第１の連結端面に連結され前端部を有する第１の側面板と、
前記底面板、前記天面板及び前記裏面板の他方の第２の連結端面に連結され前端部を有する第２の側面板と、
前記各前端部に接するように取り付けられた正面板と、により形成される電気部品の収容空間と、
前記第１の側面板と、前記第１の連結端面との間に挿入された、耐熱性両面粘着テープからなる第１のシール材と、
前記第２の側面板と、前記第２の連結端面との間に挿入された、耐熱性両面粘着テープからなる第２のシール材と、を備え、
前記底面板、前記天面板及び前記裏面板の三面が一枚の板材にて形成され、
前記第１の側面板と前記第１の連結端面が連結された第１の連結部及び前記第２の側面板と前記第２の連結端面が連結された第２の連結部は、前記第１のシール材及び前記第２のシール材を厚み方向に圧縮する締結部材により締付け固定されており、
前記第１の側面板及び前記第２の側面板が、それぞれ、前記天面板よりも上方に延出され且つ開口部を有する延出部を備え、
前記天面板とは空間を空けて該天面板を覆う第２の天面板が設けられ、
前記第２の天面板は、前記延出部に取付けられており、且つ、前記天面板に沿って上方側を覆う上面壁と該上面壁の前端部から前記天面板の前端部近くまで延びる前面壁とを有する横断面略Ｌ字形状に構成され、
前記第２の天面板と前記天面板との間の空間には、発熱性のある電気機器が設置されている電源装置用キャビネット。
【請求項２】
請求項１記載の電源装置用キャビネットにおいて、
前記底面板、前記天面板、前記裏面板、前記第１の側面板及び前記第２の側面板は、連結後に塗装された電源装置用キャビネット。
【手続補正２】
【補正対象書類名】明細書
【補正対象項目名】００１０
【補正方法】変更
【補正の内容】
【００１０】
上記課題は下記手段により達成することができる。すなわち、本発明は下記の通りである。
〔１〕
屋外に設置可能な電源装置用キャビネットであって、
前端部を有する底面板と、
前記底面板に対面し前端部を有する天面板と、
前記底面板及び前記天面板の後端部に繋げられた裏面板と、
前記底面板、前記天面板及び前記裏面板の一方の第１の連結端面に連結され前端部を有する第１の側面板と、
前記底面板、前記天面板及び前記裏面板の他方の第２の連結端面に連結され前端部を有する第２の側面板と、
前記各前端部に接するように取り付けられた正面板と、により形成される電気部品の収容空間と、
前記第１の側面板と、前記第１の連結端面との間に挿入された、耐熱性両面粘着テープからなる第１のシール材と、
前記第２の側面板と、前記第２の連結端面との間に挿入された、耐熱性両面粘着テープからなる第２のシール材と、を備え、
前記底面板、前記天面板及び前記裏面板の三面が一枚の板材にて形成され、
前記第１の側面板と前記第１の連結端面が連結された第１の連結部及び前記第２の側面板と前記第２の連結端面が連結された第２の連結部は、前記第１のシール材及び前記第２のシール材を厚み方向に圧縮する締結部材により締付け固定されており、
前記第１の側面板及び前記第２の側面板が、それぞれ、前記天面板よりも上方に延出され且つ開口部を有する延出部を備え、
前記天面板とは空間を空けて該天面板を覆う第２の天面板が設けられ、
前記第２の天面板は、前記延出部に取付けられており、且つ、前記天面板に沿って上方側を覆う上面壁と該上面壁の前端部から前記天面板の前端部近くまで延びる前面壁とを有する横断面略Ｌ字形状に構成され、
前記第２の天面板と前記天面板との間の空間には、発熱性のある電気機器が設置されている電源装置用キャビネット。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
〔２〕
〔１〕記載の電源装置用キャビネットにおいて、
前記底面板、前記天面板、前記裏面板、前記第１の側面板及び前記第２の側面板は、連結後に塗装された電源装置用キャビネット。
【手続補正１０】
【補正対象書類名】明細書
【補正対象項目名】００２０
【補正方法】変更
【補正の内容】
【００２０】
〔１〕の電源装置用キャビネットによれば、第２の天面板は、天面板に沿って上方側を覆う上面壁と該上面壁の前端部から天面板の前端部近くまで延びる前面壁とを有する横断面略Ｌ字形状に構成されたので、天面板と第２の天面板との空間が大きく形成されても、天面板への日射を確実に防止することができる。また、前面壁とは反対側の後方側を開放することができることから、第２の天面板の内側の通風性が良く放熱性に優れ、日射による温度上昇を効果的に抑えることのできる電源装置用キャビネットを提供できる。
【手続補正１１】
【補正対象書類名】明細書
【補正対象項目名】００２１
【補正方法】変更
【補正の内容】
【００２１】
〔１〕の電源装置用キャビネットによれば、第１の側面板及び第２の側面板の上方に延出された延出部に第２の天面板が取付けられた構造であるので、第２の天面板を取付けるための部材を特別に設ける必要が無く部品点数を少なくでき、また、延出部の延出長さで天面板と第２の天面板との距離を自由に設定することができる電源装置用キャビネットを提供できる。
【手続補正１２】
【補正対象書類名】明細書
【補正対象項目名】００２２
【補正方法】変更
【補正の内容】
【００２２】
〔１〕の電源装置用キャビネットによれば、延出部に開口部が形成されたので、第２の天面板の内側の通風性を良くすることができる。また、開口部が形成されたことで延出部自体の熱伝導を低くでき、第２の天面板の日射による熱を電気部品の収容空間側に伝え難くすることができる。
【手続補正１３】
【補正対象書類名】明細書
【補正対象項目名】００２３
【補正方法】変更
【補正の内容】
【００２３】
〔１〕の電源装置用キャビネットによれば、第１及び第２の連結端面に設けられた第１及び第２のシール材が耐熱性両面粘着テープであることで、両シール材を設け組立てた後に熱処理加工を施してもシール性を維持することができるので、キャビネット組立て後に焼付け塗装が可能な電源装置用キャビネットを提供することができる。
【手続補正１４】
【補正対象書類名】明細書
【補正対象項目名】００２４
【補正方法】変更
【補正の内容】
【００２４】
〔１〕の電源装置用キャビネットによれば、底面、天面板及び裏面板の三面が一枚の板材にて形成されたので、この一枚の板材の左右両側の第１及び第２の連結端面に第１の側面板及び第２の側面板を固定するだけで収容空間が容易に形成できる。また、第１及び第２の連結端面に対して第１及び第２のシール材の粘着力で第１及び第２の側面板を貼り付けて位置決めすることができ、リベット止め前の仮固定が容易でキャビネット組立て性を向上することができる。
【手続補正１５】
【補正対象書類名】明細書
【補正対象項目名】００２５
【補正方法】変更
【補正の内容】
【００２５】
〔１〕の電源装置用キャビネットによれば、第１の連結部及び第２の連結部は、第１のシール材及び第２のシール材を厚み方向に圧縮する締結部材により締付け固定されたので、両連結部の機密性を向上することができる。したがって、防水性及び防塵性に優れた電源装置用キャビネットを提供できる。また、連結部の機密性を確保するために溶接を用いていないことから溶接時の熱変形の心配が無いので、板材を薄くすることができる。この結果、キャビネット重量の軽量化が実現できると共に材料費の低減によるコストダウンを図ることができる。
【手続補正１６】
【補正対象書類名】明細書
【補正対象項目名】００２６
【補正方法】変更
【補正の内容】
【００２６】
〔２〕の電源装置用キャビネットによれば、底面板、天面板、裏面板、第１の側面板及び第２の側面板は、連結後に塗装された構造であるので、各面板同士が塗装膜にて絶縁されることなく通電ができ、各面板の電位差のない電源装置用キャビネットを提供できる。